(57)【要約】      （修正有）【課題】ナットの取外し用で、損傷したナット専用のソケット構造を提供する。【解決手段】ソケット構造は、ソケット１０の一端に六角状の合致固定孔１１が設けられ、他端は合わせ孔が設けられる。合致固定孔１１の内壁は斜面を呈し、該斜面は２度から４度の傾斜度で徐々に縮んで傾斜することで、合致固定孔１１の端口が外へ拡張することにより、ナットが入りやすい。また、該合致固定孔１１の各辺の角の回避溝の間はそれぞれ作用ブロック１５によって仕切られる。該作用ブロック１５は中央が内凹する形を呈し、両側が相対に外凸することにより、それぞれ連動角１６が形成される。合致固定孔１１内に各作用ブロック１５を通るリング溝１７が設けられ、該リング溝１７の設置によって、それぞれの作用ブロック１５にリング溝１７に対応する上、下にそれぞれ隣接する内頂角１８が形成される。【選択図】図１
0003223127.tif 000002
【実用新案登録請求の範囲】
【請求項１】
損傷したナット専用のソケット構造であって、
前記ソケットの一端にはナットと合致するための六角状の合致固定孔が設けられ、他端には合わせ孔が設けられることにより、前記ソケットがハンドツールをカバーするように接続され、前記合致固定孔の内壁は斜面を呈し、前記斜面が２度から４度の傾斜度で徐々に縮んで傾斜することで、前記合致固定孔の端口が外へ拡張することにより、前記ナットが入りやすくなり、また前記合致固定孔の各辺の角の回避溝の間はそれぞれ作用ブロックによって仕切られ、前記作用ブロックは中央が内凹する形を呈し、両側が相対的に外凸することにより、それぞれ連動角が形成され、前記合致固定孔内に各作用ブロックを通るリング溝が設けられ、前記リング溝の設置によって、それぞれの作用ブロックに前記リング溝に対して上、下にそれぞれ隣接する内頂角が形成されることを特徴とする損傷したナット専用のソケット構造。
【考案の詳細な説明】
【技術分野】
【０００１】
本考案はナットの取り外し用であり、ナット角を摩損することなく、角が摩損されたナットにも適する損傷したナット専用のソケット構造に関する。
【背景技術】
【０００２】
ナットは締め付けやすい特性があるため、製造産業において大量に使用されている。特に一般的にはソケットを利用してドライバーに合わせてナットが連動されて回され、ナットはドライバーを回すことによって、作業物に締め付けられたり、取り外されたりできる。
【０００３】
しかし、機械ユニットの設計原則によると、上述のナットは取り替えられる消耗品であるため、ソケットは必需工具となる。ソケットの硬度は上述ナットを遥かに超え、使用時に上述のナットをスムーズに入れるため、上述のナットとソケットの間は通常はぴったりに合わせるのではなく、隙間がある。しかし、該隙間は使用者が力を加えて締めたり、緩めたりする時、滑る現象が起き、力が転移されて上述のナットの角に集中し、また上述のソケットの材質が硬いため、何回か回した後は、該角がひどく摩損されて円形になり、その後に回される途中に滑り、上述のナットを緩めにくくなる難点がある。
【０００４】
従って、上述のような従来のソケットにおける欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
従来のソケットは使用時にナットの角を摩損しやすく、角が摩損された後、該ナットを回しにくくなるという上述の欠点について解決し、損傷したナット専用のソケット構造を提供する。
【課題を解決するための手段】
【０００６】
損傷したナット専用のソケット構造は、上述ソケットの一端に六角状の合致固定孔が設けられ、ナットと合致するために提供される。他端は合わせ孔が設けられ、上述ソケットはハンドツールをカバーするように接続され。上述合致固定孔の内壁は斜面を呈し、該斜面は２度から４度の傾斜度で徐々に縮んで傾斜することで、上述合致固定孔の端口が外へ拡張することにより、上述ナットが入りやすくなる。また該合致固定孔の各辺の角の回避溝の間はそれぞれ作用ブロックによって仕切られる。該作用ブロックは中央が内凹する形を呈し、両側が相対的に外凸することにより、それぞれ連動角が形成される。上述合致固定孔内に各作用ブロックを通るリング溝が設けられ、該リング溝の設置によって、それぞれの作用ブロックに上述リング溝に対して上、下にそれぞれ隣接する内頂角が形成される。これによって、損傷したナット専用のソケット構造が得られる。
【０００７】
(一）ソケットが回される時、連動角と内頂角が同時にナットの各側面の上、下に噛み合わせて合致され、ナット角は回避溝の設置によって、ソケットと全く接触しないため、回される時、該ソケットはナットの角に対して摩損することなく、ナットの全体の形状を維持する。
【０００８】
(二）回避溝、作用ブロック、リング溝、内頂角の設置によって、該ソケットを角がすでに摩損されたナットにも使える。使用する時、連動角と内頂角がナットの各側面の上、下に噛み合わせて合致されるため、摩損されたナットは強引に回し出される。該相対するナット角は円形にされたため、回し出されないという問題が起き、連動角は作用ブロックの両側に設けられ、該ソケットを回される方向に制限されることなく、正転、反転ともに適する。
【０００９】
(三）内頂角の追加によって、噛み合わせ位置が増加され、ナットが完全に噛み合わせて固定されるため、回す力を確実に伝達できる。
【図面の簡単な説明】
【００１０】
【図１】図１は、本考案に係る損傷したナット専用のソケット構造を示す立体図である。
【図２】図２は、本考案に係る損傷したナット専用のソケット構造を示す平面図である。
【図３】図３は、本考案の図２のＡ−Ａ断面図である。
【図４】図４は、本考案の図２のＢ−Ｂ断面図である。
【図５】図５は、本考案は角が摩損されたナットに使う断面図である。
【図６】図６は、本考案は角が摩損されたナットに使う立体図である。
【考案を実施するための形態】
【００１１】
まず、図１から図３を参照されたい。本考案の損傷したナット専用のソケット構造は、上述ソケット（１０）の一端にナット（２０）と合致するための六角状の合致固定孔（１１）が設けられる。他端には合わせ孔（１２）が設けられることにより、上述ソケット（１０）がハンドツールをカバーするように接続される。上述合致固定孔（１１）の内壁は斜面（１３）を呈し、該斜面（１３）は２度から４度の傾斜度で徐々に縮んで傾斜することで、上述合致固定孔（１１）の端口が外へ拡張することにより、上述ナット（２０）が入りやすくなる。また、該合致固定孔（１１）の各辺の角の回避溝（１４）の間はそれぞれ作用ブロック（１５）によって仕切られる。該作用ブロック（１５）は中央が内凹する形を呈し、両側が相対的に外凸することにより、それぞれ連動角（１６）が形成される。上述合致固定孔（１１）内に各作用ブロック（１５）を通るリング溝（１７）が設けられ、該リング溝（１７）の設置によって、それぞれの作用ブロック（１５）に上述リング溝（１７）に対して上、下にそれぞれ隣接する内頂角（１８）が形成される。
【００１２】
実際に使用する時、ソケット（１０）は合致固定孔（１１）によってナット（２０）の外周に嵌め合わせる（同時に図４を参照されたい）。端口は外へ拡張するため、入りやすい。完全に挿入した後、斜面（１３）が内縮する作用を受けるため、緊密に合わせられる。回される時、滑る現象が起きないため、力転移が避けられ、決まった部分に集中できる。またソケット（１０）が回される時、連動角（１６）と内頂角（１８）が同時にナット（２０）の各側面の上、下に噛み合わせて合致され、ナット（２０）の角は回避溝（１４）の設置によって、ソケット（１０）と全く接触しないため、回される時、該ソケット（１０）はナット（２０）の角に対して摩損することなく、ナット（２０）の全体の形状を維持する。
【００１３】
また、該ソケット（１０）を角がすでに摩損されたナット（２０）にも使える（同時に図５を参照されたい）。使用する時、連動角（１６）と内頂角（１８）がナット（２０）の各側面の上、下に噛み合わせて合致されるため、摩損されたナット（２０）は強引に回し出される。該相対するナット（２０）角は円形にされたため、回し出されないという問題が起き、連動角（１６）は作用ブロック（１５）の両側に設けられ、該ソケット（１０）を回される方向に制限されることなく、正転、反転ともに適する。
【００１４】
以上は、本考案に係る実施例の一部に過ぎないため、本考案の実施範囲を制限するものではない。即ち、本考案の登録請求の範囲内で行われる変化、修飾なども本考案の範囲に属すべきである。
【符号の説明】
【００１５】
本考案：
１０              ソケット
１１              合致固定孔
１２              合わせ孔
１３              斜面
１４              回避溝
１５              作用ブロック
１６              連動角
１７              リング溝
１８              内頂角
２０              ナット
【図１】
0003223127.tif 000003
【図２】
0003223127.tif 000004
【図３】
0003223127.tif 000005
【図４】
0003223127.tif 000006
【図５】
0003223127.tif 000007
【図６】
0003223127.tif 000008